(57)【特許請求の範囲】
【請求項１】
車両の前部または後部の左右に配置され主に前方または後方に向けて放光する警光灯であって、
水平に配置される棒状の光源と、この光源の周面に対向する樋状反射面とを備え、
光源および樋状反射面の延びる方向は、左右方向に沿う状態から斜め外側方に向けて所定の傾斜角度で傾けられており、樋状反射面の傾斜角度が光源の傾斜角度よりも小さいことを特徴とする警光灯。
【請求項２】
請求項１に記載の警光灯において、上記光源からの光を前方または後方に向けて反射する放物面状反射面をさらに備えることを特徴とする警光灯。
【請求項３】
請求項２に記載の警光灯において、上記放物面状反射面は、車両の幅方向中央側となる光源の端部を含む所定の領域に対向し、樋状反射面と隣接して配置されることを特徴とする警光灯。
【請求項４】
請求項３に記載の警光灯において、上記放物面状反射面に隣接して光源の端部と光源の延びる方向に略対向して配置され、光源からの光を外側方に向けて反射する横向き反射面をさらに備えることを特徴とする警光灯。
【請求項５】
請求項４に記載の警光灯において、上記放物面状反射面は、樋状反射面の隣接する端部から段差を設けて窪まされて形成されることを特徴とする警光灯。
【請求項６】
請求項１乃至５の何れかに記載の警光灯において、上記樋状反射面は断面放物線形状をなし、樋状反射面に対向する光源の領域全体が樋状反射面の焦点に沿うように、樋状反射面の延びる方向の位置に応じて樋状反射面の曲率を異ならせてあることを特徴とする警光灯。
【請求項７】
請求項６に記載の警光灯において、上記樋状反射面の上端縁および下端縁が左右方向に沿うことを特徴とする警光灯。
【発明の詳細な説明】
【０００１】
【発明の属する技術分野】
本発明は、例えば、緊急車両や道路維持作業車等の車両の前部に設置され、主に前方へ点滅光等の警告信号を発する警光灯に関する。
【０００２】
【従来の技術および発明が解決しようとする課題】
上述の警光灯としては、例えば、棒状のキセノン放電管からなる光源と、この光源の周面に対向し光源からの光を反射する樋状反射面とを有するものがある。このような警光灯は、例えば、一対が車両の前部に左右に並んで設置され、光源および樋状反射面は、車両の左右方向に沿って配置される。光源からの光は直接に、または反射されて、主に車両の前方へ向けて放光される。
【０００３】
このような警光灯は、車両のルーフ上に設置される散光式警光灯とともに利用され、ルーフ上の散光式警光灯による前方の車両の運転者への注意喚起機能を補うための補助灯として利用される。
ところで、このような警光灯が緊急車両に利用される場合、前方への注意喚起機能だけでなく、側方への注意喚起機能をも高めることが要望されている。
側方からの視認性を高めるためには、警光灯を車両の左右方向に対して斜め外側方に向けて傾けて配置することが考えられるが、そうすると、前方へ向かう光が減少するので、前方からの視認性が低下してしまう。
【０００４】
そこで、本発明の目的は、上述の技術的課題を解決し、側方からの視認性を高めつつ、前方からの視認性を高く維持できる警光灯を提供することである。
【０００５】
【課題を解決するための手段および発明の効果】
請求項１に記載の発明は、車両の前部または後部の左右に配置され主に前方または後方に向けて放光する警光灯であって、水平に配置される棒状の光源と、この光源の周面に対向する樋状反射面とを備え、光源および樋状反射面の延びる方向は、左右方向に沿う状態から斜め外側方に向けて所定の傾斜角度で傾けられており、樋状反射面の傾斜角度が光源の傾斜角度よりも小さいことを特徴とする警光灯を提供する。
【０００６】
この発明の警光灯は、車両の前部または後部の右側または左側に設置される。以下、例えば、車両の前部左側に配置する警光灯について説明する。
この発明によれば、傾けた状態の樋状反射面は、棒状の光源からの光を前方および外側方、例えば、左側方に向けて反射でき、これに加えて、傾けた状態の光源は、前方および外側方から面状になって大きく見える。その結果、前方からの視認性を得つつ、外側方からの視認性を高めることができる。
【０００７】
特に、樋状反射面の傾斜角度が光源の傾斜角度よりも小さいことにより、傾斜角度が等しい場合に比べて、樋状反射面により前方に向けて反射される反射光を増大させることができるので、樋状反射面を傾けることに起因する前方からの視認性の低下を防止することができる。従って、前方および外側方からの視認性を共に高く維持できる。
請求項２に記載の発明は、請求項１に記載の警光灯において、上記光源からの光を前方または後方に向けて反射する放物面状反射面をさらに備えることを特徴とする警光灯を提供する。
【０００８】
この発明によれば、放物面状反射面により、前方からの視認性をより一層高くすることができる。
請求項３に記載の発明は、請求項２に記載の警光灯において、上記放物面状反射面は、車両の幅方向中央側となる光源の端部を含む所定の領域に対向し、樋状反射面と隣接して配置されることを特徴とする警光灯を提供する。
仮に、車両の幅方向中央側となる光源の右側の端部を含む所定の領域に対向して樋状反射面を設けたとしても、このような樋状反射面の部分は、反射光の外側方へ向く角度を大きくとれないので、外側方からの視認性の向上にはあまり寄与しない。そこで、この発明では、放物面状反射面を設けることにより、光を前方へ向けて確実に反射させて、前方からの視認性をより高めることができる。
【０００９】
また、上述のような放物面状反射面は、車両の幅方向中央側へ向かう光を、前方へ向けて反射できるので、この点でも前方からの視認性の向上に寄与する。
請求項４に記載の発明は、請求項３に記載の警光灯において、上記放物面状反射面に隣接して光源の端部と光源の延びる方向に略対向して配置され、光源からの光を外側方に向けて反射する横向き反射面をさらに備えることを特徴とする警光灯を提供する。
【００１０】
この発明によれば、前方および外側方からの視認性の向上に寄与しない車両の幅方向中央側へ向かおうとする光を、横向き反射面により外側方に向けることができるので、光を有効利用しつつ外側方からの視認性をより一層高くすることができる。
請求項５に記載の発明は、請求項４に記載の警光灯において、上記放物面状反射面は、樋状反射面の隣接する端部から段差を設けて窪まされて形成されることを特徴とする警光灯を提供する。
【００１１】
この発明によれば、放物面状反射面の大きさを維持しつつ、横向き反射面を奥側に大きくできるので、前方からの視認性を高く維持しつつ、外側方からの視認性をより一層高めることができる。
請求項６に記載の発明は、請求項１乃至５の何れかに記載の警光灯において、上記樋状反射面は断面放物線形状をなし、樋状反射面に対向する光源の領域全体が樋状反射面の焦点に沿うように、樋状反射面の延びる方向の位置に応じて樋状反射面の曲率を異ならせてあることを特徴とする警光灯を提供する。
【００１２】
この発明によれば、光源と樋状反射面とが互いに斜めになっていても、光源の広い領域からの大量の光を前方に向けることができ、前方からの視認性をより一層高めることができる。
請求項７に記載の発明は、請求項６に記載の警光灯において、上記樋状反射面の上端縁および下端縁が左右方向に沿うことを特徴とする警光灯を提供する。
この発明によれば、樋状反射面は、正面視で略長方形をなすので、警光灯の通常の箱形状の外形に合わせることができる。その結果、樋状反射面を広くできるので、前方に向けてより大量の光を反射でき、前方からの視認性をより一層高めることができる。しかも、広い樋状反射面であっても警光灯の内部スペースを有効利用して配置できて、警光灯の大型化を防止することができる。
【００１３】
【発明の実施の形態】
以下、本発明の一実施形態の警光灯を詳細に説明する。図１は、上述の警光灯の使用状態を示す斜視図である。
本警光灯１は、略直方体形状の箱状の外形を有し、光を放光する表示部２を有している。警光灯１は、車両３の前部４または後部５の左右に一対で並んで配置され、その表示部２から主に前方（矢印Ｆ）または後方（矢印Ｒ）に向けて放光し、同時に予め定める側方にも向けて放光できるようにされている。警光灯１は、光を前方に向けて相対的に強く、側方に向けて一様に放光する。ここで、上述の側方とは、前方に対して斜めになる斜め側方および前方に対して直交する真横方向とを含めた概念のものであり、後述する外側方、右側方および左側方も同様のものである。
【００１４】
警光灯１が、車両３の前部４の左側に設置される場合には、車両３の前方が、最も高い視認性を得たい方向であり且つ警光灯１からの光を主に照射する方向とされ、また、車両３の左側方（矢印ＬＨ）が、前方に次いで視認性を高めたい方向であり且つ上述の予め定める側方とされる。
以下、車両３の前部４の左側に配置した場合の警光灯１を例にして説明する。また、この例における車両３の前後、左右、上下方向を基にして警光灯１の方向を説明し、左右については車両３の内部から前方を見るときの状態とする。なお、警光灯１が車両３の後部５に配置される場合には、光を前方に代えて主に後方に向けて放光し、また、警光灯１が車両３の右側に配置される場合には、光を左側方に代えて右側方に向けて放光することとなる。
【００１５】
警光灯１は、図２〜図５に示すように、車両３に設置するためのボデー１１と、このボデー１１により支持部材１７を介して支持されて水平に配置される棒状の光源１２と、この光源１２の周面２１に対向する樋状反射面３１を形成しボデー１１に固定される反射部材１３と、光源１２および反射部材１３を覆うグローブ１４（一点鎖線で図示）とを有している。このグローブ１４の前面およびこの前面に隣接する左側面に表示部２がそれぞれ形成されている。
【００１６】
樋状反射面３１は、光源１２と並び、一方向に沿って直線状に延び、その延びる方向に長く形成され、その横断面形状は、後方に向けて窪んだ凹湾曲線形状、例えば、放物線形状をなしている。
樋状反射面３１は、その延びる方向の位置に応じて、その断面の放物線が異なり、上述の延びる方向に沿って放物線が連続して変化するようにして形成されている。樋状反射面３１は、外側方側となる左側に向かって、上述の延びる方向に沿って、奥行きが連続して深くされている。深くされている樋状反射面３１の部分では、後述する頂点での放物線の曲率が小さくなるようにされている。これにより、樋状反射面３１の延びる方向の位置に応じて、樋状反射面３１の奥行きが異なっていても、放物線の隣接する上端同士または下端同士を、延びる方向の位置にかかわらず合わせて、樋状反射面３１の上端縁３６および下端縁３７を左右方向に沿わせることができる。その結果、樋状反射面３１の正面視での形状を略矩形にできる。通常、警光灯１の正面視での形状は矩形とされることから、この警光灯１の形状に樋状反射面３１の形状を合わせることができて、警光灯１の外形の大型化を防止でき、且つ樋状反射面３１の正面視での大きさを損なうこともない。
【００１７】
また、樋状反射面３１の正面視での外形が長方形であれば、左右対称の構造にし易く、左右一対の警光灯１の間で、その部品、例えば、グローブ１４を共通化することが容易にできる。また、車両の前面部または後面部に取り付けるバンパー灯では、車両前面または後面の限られたスペースに設置する必要があることから、正面視での形状の大型化を防止できる本警光灯１は、バンパー灯に好適である。
【００１８】
また、上述のような樋状反射面３１の焦点３８（位置Ｐ８〜Ｐ１２の間の一点鎖線で図示）は、その延びる方向の位置に応じて横断面での位置も異なり、この位置に合わせて光源１２が配置されている。ここで、樋状反射面３１の焦点３８とは、その断面の放物線の焦点の集合であり、各焦点が連なり線状をなしている。
光源１２および樋状反射面３１の延びる方向（この方向に延びる線ＥＥ，ＥＲ参照）は、左右方向（この方向に延びる線Ｈ参照）に沿う状態から斜め外側方に向けて所定の傾斜角度（角度ＤＥ，ＤＲ）で傾けられている。特に、樋状反射面３１の傾斜角度（角度ＤＲ）が光源１２の傾斜角度（角度ＤＥ）よりも小さくされている（角度ＤＲ＜角度ＤＥ）。
【００１９】
ここで、光源１２の延びる方向としては、光源１２の中心軸線ＥＥの延びる方向としてもよいし、また、光源１２の周面２１と任意の水平面との交線の延びる方向としてもよい。また、樋状反射面３１の延びる方向としては、樋状反射面３１と任意の水平面との交線の延びる方向となる。なお、光源１２および樋状反射面３１の延びる方向を決めるときの２つの任意の水平面は、互いに異なっていてもよいし、一致してもよい。
【００２０】
樋状反射面３１は、その近くで前方の左側にある光源１２からの光を、主に前方に向けて反射する（矢印Ａ１参照）。また、樋状反射面３１は、その近くで直前および右側にある光源１２からの光を、斜め外側方に向けて反射する（矢印Ａ２参照）。また、樋状反射面３１、例えば、左側端部を含むその近傍部分は、右側の遠くにある光源１２からの光を、主に真横に向けて反射する（矢印Ａ３参照）。また、光源１２からの光は、直接に前方、斜め側方および左側真横に向けて放光される（矢印Ａ７〜Ａ９参照）。
【００２１】
このように、左右方向に対して傾けた状態の樋状反射面３１は、棒状の光源１２からの光を前方および外側方、例えば、左側方に向けて反射でき、これに加えて、左右方向に対して傾けた状態の光源１２は、前方および左側方から面状になって大きく見える。その結果、前方からの視認性を得つつ、左側方からの視認性を高めることができる。
特に、左右方向に対して樋状反射面３１の傾斜角度が光源１２の傾斜角度よりも小さいことにより、傾斜角度が等しい場合に比べて、樋状反射面３１により前方に向けて反射される反射光を増大させることができるので、樋状反射面３１を傾けることに起因する前方からの視認性の低下を防止することができる。従って、前方および外側方からの視認性を共に高く維持できる。
【００２２】
例えば、樋状反射面３１の傾斜角度は９度〜１０度とされ、光源１２の傾斜角度は１３度〜１５度とされている。このような角度にする場合には、光源１２から直接に前方へ向けて照射される光を強く維持しつつ、樋状反射面３１により前方へ向けて反射させる反射光を上述のように増大させることができる。
また、光源１２の傾斜角度が樋状反射面３１の傾斜角度よりも大きいことにより、傾斜角度が等しい場合に比べて、光源１２は、左側の真横からより一層大きく見えるので、真横方向からの視認性をより高めることができる。
【００２３】
反射部材１３は、その表面に複数の反射面を一体に形成している。複数の反射面は、上述の樋状反射面３１と、放物面状反射面３２と、横向き反射面３３とを含む。これらの各反射面３１，３２，３３は、アルミニウム蒸着を施され、光源１２からの光を効率よく反射する。
樋状反射面３１は、断面放物線形状をなしている。ここで、樋状反射面３１の断面形状が放物線となる断面は、視認性を高めたい方向に応じて種々設定することができ、例えば、後述するように左右方向を直交する面、樋状反射面３１の延びる方向（矢印ＥＲ）を直交して切る断面や、これらの面と傾いた面とすることが考えられる。
【００２４】
本実施形態の樋状反射面３１の断面形状は、左右方向を直交して切る断面において、放物線をなしている（図６参照）。光源１２は、樋状反射面３１の放物線の焦点が光源１２の周面上または内部に位置するように配置されている。断面放物線形状の樋状反射面３１は、放物線の焦点にある光源１２からの光を、放物線の対称軸に沿う前後方向に向けて効率よく反射することができる。この反射光は前方から、光源１２の長さに対応する面状に視認される。
【００２５】
樋状反射面３１では、その延びる方向に沿う位置に応じて、その放物線が異なるが、放物線の対称軸と放物線との交点である頂点、および放物線の焦点は、面３１の延びる方向に沿う位置にかかわらず、光源１２の軸線を含む水平面上にある。放物線の焦点と頂点との距離（図６の距離ＶＦ参照）が、左側の位置で短くされている。また、樋状反射面３１の左右方向の中間部の上端縁３６と下端縁３７とが、左右方向に沿って略直線状に延びるようにされている。例えば、樋状反射面３１の右側端部３５の放物線の焦点（位置Ｐ８参照）と頂点（位置Ｐ５参照）とは、前後方向に沿って並んでいる。樋状反射面３１の左側部分の一つの放物線の焦点と頂点とは、前後方向に沿って並び、位置Ｐ５，Ｐ８間の距離よりも接近している。
【００２６】
ところで、樋状反射面として延びる方向の位置により断面形状が一定の反射面を用い、これと互いに斜めになるように光源１２を配置すると、光源１２と樋状反射面３１の焦点とは一部同士しか合わず、残りの大部分は位置がずれてしまう。
本実施形態では、樋状反射面３１に対向する光源１２の領域２４の全体が樋状反射面３１の焦点３８に沿うように、樋状反射面３１の延びる方向の位置に応じて樋状反射面３１の曲率を異ならせてある。これにより、光源１２と樋状反射面３１とが互いに斜めになっていても、光源１２の広い領域２４からの大量の光を前方に向けることができ、前方からの視認性をより一層高めることができる。
【００２７】
また、断面均一な樋状反射面を外側方に向けて単に斜めに配置すると、その前方に空きスペースができる。このスペースを有効利用しつつ視認性を高めようとすると、樋状反射面の奥まりの度合いに応じて、樋状反射面は上下方向にも大きくなり、結局は警光灯全体が大型化する。そこで、本実施形態では、通常の警光灯の外形の箱形状に合わせるように、樋状反射面３１を形成し、大型化の防止と視認性の向上とを両立させるようにした。すなわち、上述のように樋状反射面３１の上端縁３６および下端縁３７は、左右方向に沿うようにされている。
【００２８】
これにより樋状反射面３１は、正面視で略長方形をなすので、警光灯１の通常の箱形状の外形に合わせることができる。その結果、樋状反射面３１を広くできるので、前方に向けてより大量の光を反射でき、前方からの視認性をより一層高めることができる。しかも、広い樋状反射面３１であっても警光灯１の内部スペースを有効利用して配置できて、警光灯１の大型化を防止することができる。
また、樋状反射面３１の曲率が、奥まり度合いの大きくなる延びる方向の位置で、小さくなるようにされるので、その放物線が前後に長くなっても、上下方向の大型化を防止でき、正面視での外形の大型化を防止することができる。
【００２９】
放物面状反射面３２は、回転放物面の一部を含む。回転放物面の放物線の対称軸は、前後方向に沿って延びている。その放物線の焦点は、光源１２の表面上または内部に位置するようにされている。例えば、放物面状反射面３２の放物線の焦点と頂点とは、光源１２の軸線を含む水平面上の位置Ｐ８，Ｐ９に位置している。これにより光源１２のこの部分からの光を前方に向けて効率よく反射する。このように、放物面状反射面３２により、前方からの視認性をより一層高くすることができる。
【００３０】
また、放物面状反射面３２は、樋状反射面３１と隣接して配置され、車両３の幅方向中央側となる右側の光源１２の端部２２を含む所定の領域２３（破線で図示）に対向する。図示した例では、所定の領域２３は、端部２２および端部２２から光源の延びる方向に沿う所定長さの範囲を含む。ここで、所定長さはゼロとすることも考えられる。放物面状反射面３２の左側部分は、上述の所定の領域２３と正対して対向し、右側部分は、上述の所定の領域２３と斜めに対向している。
【００３１】
放物面状反射面３２を光源１２の端部２２に対応して配置することの意義は以下の通りである。すなわち、仮に、車両３の幅方向中央側となる光源１２の左側の上述の所定の領域２３に対向して樋状反射面３１を設けたとしても、このような樋状反射面３１の部分は、反射光の外側方へ向く角度を大きくとれないので、真横方向からの視認性の向上にはあまり寄与しない。そこで、この発明では、限られたスペースを有効活用するために樋状反射面３１の上述の部分に代えて、放物面状反射面３２を設けることにより、光を前方へ向けて確実に反射させて、前方からの視認性をより高めることができる。
【００３２】
放物面状反射面３２は、光源１２の所定の領域２３からの光を、主に前方に向けて（矢印Ａ４参照）、また、斜め側方に向けても反射する。また、放物面状反射面３２は、所定の領域２３外となる光源１２からの光を、前方および斜め側方を含む周囲に向けて反射する（矢印Ａ５参照）。このように、放物面状反射面３２は、車両３の幅方向中央側へ向かう光を、前方へ向けて反射できるので、この点でも前方からの視認性の向上に寄与する。
【００３３】
なお、放物面状反射面３２としては、回転放物面に限定されず、光を主に前方に向けて反射する形状の反射面であればよい。
横向き反射面３３は、放物面状反射面３２に隣接して、光源１２の端部２２と光源１２の延びる方向に略対向して配置される。横向き反射面３３は、回転放物面の一部により形成される。その放物線の対称軸が左右方向に平行に配置され、放物線の焦点が光源１２の表面上または内部に配置される。例えば、横向き反射面３３の放物線の焦点と頂点とは、光源１２の軸線を含む水平面上の位置Ｐ１０，Ｐ１１に配置される。横向き反射面３３は、光源１２からの光を外側方となる真横に向けて反射することができる。横向き反射面３３は、真横から見たときに、樋状反射面３１により区画される窪みの内部を通して直接見えるように配置されている。
【００３４】
光源１２からの光には、直接に、または放物面状反射面３２や樋状反射面３１により反射されて、右側へ向かうものがある。このような前方および外側方からの視認性の向上に寄与しない中央側へ向かおうとする光を、上述の面３１，３２の右側にある横向き反射面３３により、外側方、特に真横にも向けることができるので（矢印Ａ６参照）、光を有効利用しつつ外側方からの視認性をより一層高くすることができる。
【００３５】
横向き反射面３３の後縁および放物面状反射面３２はつながっている。放物面状反射面３２は、樋状反射面３１の隣接する端部３５から後方へ延びる平面状の段差３４を設けて窪まされて形成される。これにより、放物面状反射面３２の大きさを維持しつつ横向き反射面３３を奥側に大きくできるので、前方からの視認性を高く維持しつつ、真横方向からの視認性をより一層高めることができる。
なお、横向き反射面３３としては、回転放物面に限定されない。例えば、前後方向に延びる樋状反射面とされ、この樋状反射面の横断面形状が放物線とされ、放物線の対称軸が左右方向に延びるようにしてもよい。また、横向き反射面３３としては、平面状の反射面とすることも考えられる。
【００３６】
光源１２は、円柱形状を有し、その軸線方向に長く延び、軸線方向のほぼ全域にわたる周面２１が発光面となる。光源１２は、例えば、キセノン放電管を利用でき、駆動回路（図示せず）が接続されている。
このように棒状の光源１２からの直接光は、多数の発光点が連なった面状になって見えるので、電球のような点状の光源１２を利用する場合に比べて、前方から見たときの高い視認性を得ることができる。また、棒状の光源１２は、通例、その管の形状を簡素化できるので、低コストで済む。
【００３７】
特に、光源１２としてキセノン放電管を利用する場合には、輝度を高くできるので、注意喚起能力に優れ、視認性を高めるのに好ましい。また、キセノン放電管は、フィラメントがないので、これの断線の虞がなく、さらに発光効率が高い。
なお、光源１２としては、棒状の光源１２であればよく、キセノン放電管の他、ハロゲン電球のなかで棒状のもの、白熱電球（ハロゲン電球以外の電球）のなかで棒状のもの、蛍光灯、複数のＬＥＤを一列に並べたもの等を利用することができる。
【００３８】
また、延びる方向についての光源１２の中心位置Ｐ１を、左右方向についてのグローブの中心位置Ｐ２と、左右方向について合わせて配置されている。
ボデー１１は、合成樹脂材料により形成され、ブラケット１５を介して、例えば、車両３のバンパーの上部に固定される。ボデー１１の前部にシール材（図示せず）を介してグローブ１４がねじ止め固定され、ボデー１１の周縁部とグローブ１４との間を封止しつつ、警光灯１の内部への雨水の侵入を防止している。
【００３９】
グローブ１４は、警光灯１の外形の大部分を形成し、前方および右側方を含む周囲に向けて光を放光することができる。また、グローブ１４は、内面に、光を屈折させるレンズとして機能する凹凸部からなるいわゆるレンズカットを施され、これにより、光を効果的に周囲に向けて放光することができる。グローブ１４は、透光性を有していればよく、無色透明でもよいし、着色されていてもよい。グローブ１４の前面の中央部は、前方に膨出している。
【００４０】
このように本発明の実施の形態によれば、前方からの高い視認性に加えて、側方からの視認性を高めつつ、しかも、側方からの視認性を高めるのに伴う前方からの視認性の低下を、光源１２と樋状反射面３１とを互いに斜めにすることにより、防止することができる。その結果、前方に加えて、斜め側方や真横方向からの高い視認性を得られるので、広い範囲からの視認性を高めることができる。従って、本警光灯１を備える緊急車両の緊急走行時の事故を未然に防止することができる。
【００４１】
また、本発明の警光灯１としては、上述のように樋状反射面３１、放物面状反射面３２、および横向き反射面３３を備えるものに限定されず、以下のような種々の変形例が考えられる。なお、以下の説明では、上述の実施形態の各部と異なる部分のみを説明し、同様の部分については同じ符号を付して説明を省略する。例えば、反射部材１３に樋状反射面３１だけを設けて、これの前方に光源１２を傾けて配置してもよい。
【００４２】
また、図７に示すように、反射部材１３に、樋状反射面３１と、放物面状反射面３２とだけを設けるようにしてもよい。
また、図８に示すように、樋状反射面３１に放物面状反射面３２と、横向き反射面３３とを設け、放物面状反射面３２と樋状反射面３１との間に段差３４を設けず窪ませずに一部が連続して形成されるようにしてもよく、放物面状反射面３２を窪ませないことにより、その背後のスペースを利用して、そこに回路部品１６等を配置することもできる。
【００４３】
また、図９に示すように、図８に示す警光灯１において、光源１２および反射面３１，３２の左右方向の位置を、水平方向に沿って外側方寄りに所定距離偏らせてもよく、これにより、グローブ１４の中央部の前方への膨らみを利用して、横向き反射面３３をより前方にまで大きくすることができ、外側方からの視認性をより一層高めることができる。例えば、光源１２の中心位置Ｐ１はグローブ１４の中心位置Ｐ２に対して左側に距離Ｋだけずれ、図８に示す横向き反射面３３の前後方向に沿う高さ（寸法Ｂ１）よりも、図９に示す横向き反射面３３の高さ（寸法Ｂ２）は大きくなっていて、しかも、樋状反射面３１および放物面状反射面３２の大きさや前後方向の位置はほとんど変えずに済む。
【００４４】
また、図１０に示すように、図９の警光灯１において、放物面状反射面３２を窪ませてもよく、この場合には、横向き反射面３３の高さ（寸法Ｂ３）をより大きくできる（寸法Ｂ３＞寸法Ｂ２）。
また、樋状反射面３１に隣接して上述の横向き反射面３３を設け、放物面状反射面３２を省略してもよく、この場合、光源１２から内側方へ向かう無駄になる光を外側方に向けて反射でき、樋状反射面３１だけを設ける場合に比べて、光を有効利用しつつ外側方からの視認性をより一層高くすることができる。
【００４５】
その他、本発明の要旨を変更しない範囲で種々の設計変更を施すことが可能である。
【図面の簡単な説明】
【図１】本発明の第１の実施形態の警光灯の車体への取り付け状態を示す斜視図。
【図２】図１に示す警光灯の一部断面平面図。
【図３】図１に示す警光灯の側面図。
【図４】図１に示す警光灯の正面図であり、グローブを外した状態である。
【図５】図１に示す警光灯の斜視図。
【図６】放物線の説明図。
【図７】本発明の警光灯の第２の実施形態の概略構成を平面視で示す模式図。
【図８】本発明の警光灯の第３の実施形態の概略構成を平面視で示す模式図。
【図９】本発明の警光灯の第４の実施形態の概略構成を平面視で示す模式図。
【図１０】本発明の警光灯の第５の実施形態の概略構成を平面視で示す模式図。
【符号の説明】
１  警光灯
３  車両
４  車両の前部
５  車両の後部
１２  光源
２１  光源の周面
２２  車両の幅方向中央側となる光源の端部
２３  光源の所定の領域
２４  樋状反射面と対向する光源の領域
３１  樋状反射面
３２  放物面状反射面
３３  横向き反射面
３４  段差
３５  樋状反射面の端部（放物面状反射面と隣接する端部）
３６  樋状反射面の上端縁
３７  樋状反射面の下端縁
３８  樋状反射面の焦点
Ｆ  前方
Ｒ  後方
ＥＥ  光源の延びる方向
ＥＲ  樋状反射面の延びる方向
Ｈ  左右方向
ＤＥ  光源の傾斜角度
ＤＲ  樋状反射面の傾斜角度
【図１】
0004406813.tif 000002
【図２】
0004406813.tif 000003
【図３】
0004406813.tif 000004
【図４】
0004406813.tif 000005
【図５】
0004406813.tif 000006
【図６】
0004406813.tif 000007
【図７】
0004406813.tif 000008
【図８】
0004406813.tif 000009
【図９】
0004406813.tif 000010
【図１０】
0004406813.tif 000011